(57)【要約】【解決課題】天然皮革などの表皮材をタブレットデバイスの背面から側面部分に貼り付けて美しく外装被覆することを一般の人でも比較的容易に実現できるようにする。【解決手段】両面接着シートまたは接着剤を用いて裏面に接着面を構成した表皮材１に、接着面の１辺を含む一部に第１剥離紙２が接着され、その上から表皮材１の周囲に重なる形の枠体４が接着面の残りの３辺で接着されており、枠体４の内側部分には第２剥離紙３が貼り付けられている物品である。第２剥離紙３を除去して第１剥離紙２と枠体４にタブレットデバイス５の１辺を沿わせながら背面側から枠体４内に嵌め込んで表皮材１の接着面に接着する。つぎに枠体４および第１剥離紙２を接着面から除去し、表皮材１の周辺部分をタブレットデバイス５の側面側にまわりこませるように押しつけて接着する。【選択図】図１
2017191583.tif 000002
【特許請求の範囲】
【請求項１】
つぎの事項（１）〜（８）により特定される物品。
（１）外装被覆材となる柔軟な表皮材と、位置決め用の枠体と、第１剥離紙と、第２剥離紙とが一体的に組み合わされた物品であること
（２）枠体の内形形状は、タブレットデバイスの外形形状に合わせて形成され、タブレットデバイスを枠体内に嵌め合わせることで両者が位置決めされること
（３）表皮材の外形形状は、当該表皮材でタブレットデバイスの背面を全体的に覆うとともに、当該表皮材の周辺部分をタブレットデバイスの背面から側面にまわりこませて所定位置まで覆う形状に裁断されていること
（４）枠体の外形形状は、表皮材の外形形状と同じかすこし大きいこと
（５）表皮材の裏面（タブレットデバイスに接着される面）には、表皮材と同じ形状、もしくは周囲を含む多くの部分をカバーする形状の両面接着シートを貼り付けるか、接着剤を塗布することで、表皮材接着面が形成されていること
（６）第１剥離紙は、表皮材接着面の一辺から枠体を貼り付けた場合に枠体の内側にはみ出す程度のエリアを覆うように貼り付けられていること
（７）枠体は、表皮材の外形形状に合わせて位置決めされて表皮材接着面に貼り付けられていること
（８）第２剥離紙は、表皮材・第１剥離紙・枠体の接着積層物において枠体の内方に位置し、枠体内方に存在する表皮材接着面を覆うように貼り付けられていること
【請求項２】
タブレットデバイスのユーザーインタフェース要素の位置に合わせて、表皮材に小さな窓穴や切り欠きを形成した請求項１に記載の物品。
【請求項３】
タブレットデバイスを被覆する際にシワを生じにくくするために、表皮材の角部分に切れ目を入れた請求項１または２に記載の物品。
【請求項４】
枠体は硬質なプラスチック等の成形品である請求項１〜３のいずれかに記載の物品。
【請求項５】
１枚の表皮材の材料ではなく、複数の材料を両面接着シートに貼り付けることで一体化させることで形成した表皮材や、全面を覆うのではなく一部に穴を明けた表皮材などを用いてデザインの多様性を持たせた請求項１〜４のいずれかに記載の物品。
【請求項６】
第２剥離紙の形状を枠体の内形形状より大きく裁断し、折り畳むことで内形形状に合う形状とした請求項１〜５のいずれかに記載の物品。
【請求項７】
請求項１〜６のいずれかに記載の物品を用いてタブレットデバイスを外装被覆する方法であって、
表皮材接着面から第２剥離紙を剥がし、枠体の内部にタブレットデバイスの一端部分の背面側を枠体に沿わせながら第１剥離紙に当てるように嵌め込んで、当該背面を表皮材接着面に接着する工程と、
タブレットデバイスの背面に表皮材を接着した状態を保ちながら、枠体および第１剥離紙を表皮材接着面から剥がして除去し、タブレットデバイスの背面側全体に表皮材を接着する工程と、
表皮材の周辺部分をタブレットデバイスの側面側にまわりこませるように押さえつけて、表皮材の周辺部分をタブレットデバイスの側面側に接着させる工程と
を含んだ方法。
【発明の詳細な説明】
【技術分野】
【０００１】  この発明は、タブレットデバイスの背面側を装飾や防護の目的で外装被覆する技術に関するものである。ここで、タブレットデバイスとは、平板状の外形（タブレット型の外形）でタッチスクリーンを正面に備えた携帯可能な電子機器を指し、アップル社のｉＰｈｏｎｅやｉＰａｄで代表される、世界中に普及している多くの種類のスマートフォンやタブレット型情報端末が典型的なタブレットデバイスである。また、携帯音楽プレーヤーや携帯ゲーム機などの他の電子機器でもタブレットデバイスに該当するものがある。
【背景技術】
【０００２】  多くのユーザーは、購入したタブレットデバイスに外装ないし被覆などを施して使用している。たとえば特表２０１４−５２５１６７号公報や特開２０１５−１４８６５０号公報に開示されているように、機器正面のタッチスクリーンに透明な保護フィルムや保護ガラスを貼り付けることが行われている。【０００３】  タッチスクリーン部分ではなくて、タブレットデバイスの背面から側面にかけての部分を覆うようにする外装についても、下記の特許文献に見られるように、さまざまな製品が開発されて販売されており、ユーザーが好みのものを選んで使用するという市場環境が充実している。【０００４】  タブレットデバイスの背面から側面にかけての部分を覆う外装カバーは、シリコンゴムで成形された柔軟なジャケットのような物品を機器背面側に被せるように装着するソフトカバーと呼ばれるものや、部分的に可撓性があるものの全体的にはある程度の剛性のあるプラスチック成形品からなる半ケースに近いようなハードカバーと呼ばれるものや、ソフトカバーとハードカバーの中間的な性質のカバーなど、多種多様な形態の商品が販売されている。【０００５】  これらの外装カバーは、柔軟性や可撓性を活用してタブレットデバイスの背面側に被せるように装着するものであり、着脱自在であるので、飽きたら交換するとか、汚れたり傷ついたりしたら簡単に交換できるという点で便利である。
【先行技術文献】
【特許文献】
【０００６】
【特許文献１】特開２０１３−１６５４７０号公報
【特許文献２】特開２０１３−５５５１０号公報
【特許文献３】特開２０１４−１０７５７５号公報
【特許文献４】特開２０１４−１７４４１２号公報
【特許文献５】特許第５２４２８４６号公報
【特許文献６】特許第５８９７７６１号広報
【発明の概要】
【０００７】  この出願の発明者は、もっぱら実用性や機能性という観点でデザインされている周知慣用の各種の外装カバーとはまったく異なるコンセプトで、タブレットデバイスの背面および側面部分に柔軟なシート状の表皮材を貼り付けて外装被覆しようと考えた。
【０００８】  表皮材としては、天然皮革、人工皮革、フェルト、織物、不織布、和紙、合成樹脂製の装飾シート材などが好適である。気に入った模様や色や質感の表皮材によってタブレットデバイスを外装被覆することで趣味性を高めることができる。
【０００９】  個人的な趣味の工芸として実施する場合、タブレットデバイスの形状に合わせて表皮材を裁断し、きちんと位置決めしながら接着剤で機器背面側に貼り付けることになる。表皮材の裏側（タブレットデバイスに接着される面）に、あらかじめ両面接着シートを貼り付けるか接着剤を塗布しておくと接着作業が容易となる。
【００１０】  この出願の発明者は、手作業によりタブレットデバイスを表皮材で外装被覆することを何度か試行して、満足のゆく美しい仕上げを実現することができた。しかしながら、この作業はかなり難しく、誰でも気軽に実施できるものではないことを実感した。
【００１１】  この発明は、上記したような表皮材をタブレットデバイスの背面から側面部分に貼り付けて美しく外装被覆することを一般の人でも比較的容易に実現できるようにすることを目的として創作されたものである。
【００１２】  以下において詳細に説明する実施形態から明らかになるように、この発明の核心とするところは、つぎの事項（１）〜（８）により特定される物品であると把握することができる。
（１）外装被覆材となる柔軟な表皮材と、位置決め用の枠体と、第１剥離紙と、第２剥離紙とが一体的に組み合わされた物品であること
（２）枠体の内形形状は、タブレットデバイスの外形形状に合わせて形成され、タブレットデバイスを枠体内に嵌め合わせることで両者が位置決めされること
（３）表皮材の外形形状は、当該表皮材でタブレットデバイスの背面を全体的に覆うとともに、当該表皮材の周辺部分をタブレットデバイスの背面から側面にまわりこませて所定位置まで覆う形状に裁断されていること
（４）枠体の外形形状は、表皮材の外形形状と同じかすこし大きいこと
（５）表皮材の裏面（タブレットデバイスに接着される面）には、表皮材と同じ形状、もしくは周囲を含む多くの部分をカバーする形状の両面接着シートを貼り付けるか、接着剤を塗布することで、表皮材接着面が形成されていること
（６）第１剥離紙は、表皮材接着面の一辺から枠体を貼り付けた場合に枠体の内側にはみ出す程度のエリアを覆うように貼り付けられていること
（７）枠体は、表皮材の外形形状に合わせて位置決めされて表皮材接着面に貼り付けられていること
（８）第２剥離紙は、表皮材・第１剥離紙・枠体の接着積層物において枠体の内方に位置し、枠体内方に存在する表皮材接着面を覆うように貼り付けられていること
【図面の簡単な説明】
【０００１３】
【図１】本物品を構成する４部品（表皮材１・第１剥離紙２・第２剥離紙３・枠体４）をばらばらにして示す斜視図
【図２】本物品を組み立てた状態を示す斜視図
【図３】枠体４とタブレットデバイス５の関係を示す正面図
【図４】表皮材１とタブレットデバイス５の関係を示す背面図
【図５】本物品から第２剥離紙３を取り外し、タブレットデバイス５を枠体４に嵌め込む過程を示す斜視図
【図６】表皮材１の角部に切れ目６を入れた例
【発明を実施するための形態】
【００１４】＝＝＝本物品の構成＝＝＝
この発明に係る物品は、図１にばらばらに示す４つの部品、位置決め用の枠体４と、柔軟な表皮材１と、第１剥離紙２と、第２剥離紙３とが一体的に組み合わされた物品である。これら４つの部品が一体的に組み合わされた状態を図２に示している。
【００１５】  図３には、表皮材１で外装被覆しようとするタブレットデバイス５と、枠体４の関係を示している。枠体４の内形形状は、タブレットデバイス５の外形形状に合わせて形成され、タブレットデバイス５を枠体４内に嵌め合わせることで両者が予定した関係になるように位置決めされる。枠体４の外形形状については後で説明する。枠体４は、プラスチック等の比較的硬い成形品とすることが望ましい。比較的柔軟な枠体に比べ、硬質の枠体を用いることでタブレットデバイス５と表皮材１を貼り合わせたときの位置合わせの精度を上げることが可能となる。
【００１６】  図４には、タブレットデバイス５と表皮材１の関係を示している。表皮材１の外形形状は、当該表皮材１でタブレットデバイス５の背面を全体的に覆うとともに、当該表皮材１の周辺部分をタブレットデバイス５の背面から側面にまわりこませて所定位置まで覆う形状に裁断されている。また、タブレットデバイス５のカメラレンズ部・スピーカー放音穴部・充電端子部・イヤホン端子部・スイッチ押し釦部などのユーザーインタフェース要素に関し、表皮材１で被覆してはいけない部分や被覆しない方がよい部分には、タブレットデバイス５の上記部分の形状に合わせたパターンの小さな窓穴６やくぼみ７が形成されている。
【００１７】  表皮材１の外形形状は上記の要領で設計されているところ、枠体４の外形形状は、表皮材１の外形形状と同じかすこし大きくなるように設計されている。表皮材１の裏面（タブレットデバイスに接着される面）には、表皮材と同じ形状、もしくは周囲を含む多くの部分をカバーする形状の両面接着シートを貼り付けるか、接着剤を塗布することで、表皮材接着面が形成されている。両面接着シートと接着剤のどちらを使用するかは表皮材１の材質によって適不適があるものの、接着剤を使用できる場合には製造プロセスが簡素化され、コスト削減の利点がある。
両面接着シートを使用する場合、表皮材１に両面接着シートの片方の面を接着してから裁断することで、表皮材１と同様の小さな窓穴６やくぼみ７が形成される。
【００１８】  第１剥離紙２は、表皮材接着面の一辺から、枠体４を貼り付けた場合に枠体４の内側に一部はみ出す範囲までをカバーする形状で、表皮材１の接着面に貼り付けられている。
【００１９】  枠体４は、タブレットデバイス５を嵌め合わせた際に表皮材１とタブレットデバイス５が予定した関係になるように位置決めされて表皮材１の接着面に貼り付けられている。すなわち、表皮材１・第１剥離紙２・枠体４の接着積層物においては、表皮材１と枠体４の間に第１剥離紙２が位置し、枠体の内側の一辺で第１剥離紙２が表皮材接着面を覆っていることになる。
枠体４の表皮材１の接着面に貼り合わせられた部分は、剥離紙と同様の役割を果たすことになり、表面はウレタンコートなどで剥がれやすくする必要がある。
【００２０】  第２剥離紙３は、枠体４の内形形状に合わせた形状に裁断されており、表皮材１・第１剥離紙２・枠体４の接着積層物に対して枠体４の内方に存在する表皮材接着面を覆うように貼り付けられている。これにより、表皮材１・第１剥離紙２・第２剥離紙３・枠体４を一体的に組み合わせた物品が完成する。その完成品においては、第２剥離紙３は、枠体４の内形形状の内方に位置している。
【００２１】＝＝＝本物品を用いてタブレットデバイスを外装被覆する＝＝＝
１つの実施形態としては、上述した完成品を適宜な商品パッケージに収容し、どのタブレットデバイス用の物品であるのかを明示して販売する。消費者は、自分のタブレットデバイスに適合する商品を購入してきて、説明書きに従って、つぎのような要領で外装被覆の作業を行う。
【００２２】  表皮材１・第１剥離紙２・第２剥離紙３・枠体４を接着積層した上記物品を、表皮材１を下にして机上に置く。この状態では、枠体４の枠内空間が上方に向かって開放されており、その奥に第２剥離紙３が存在している。この第２剥離紙３を取り去ると、１辺を第１剥離紙２で覆われた表皮材１の接着面が現れる。ここで、［図５］に示すように、背面を斜め下向きにしたタブレットデバイス５の対応する辺を第１剥離紙２と枠体４の角に軽く押し付けて沿わせながら、徐々に後ろに倒して枠体４に嵌め込むと、当該背面が表皮材接着面に位置合わせをされて貼りつく。この際、第１剥離紙２はタブレットデバイス５が正確に枠体４に嵌め込まれるまで表皮材接着面に接着せずにスムーズに回転させる役割を果たす。これにより、枠体４にタブレットデバイス５を嵌め込む際に一部だけが先に入って位置がずれることを防ぎ、初心者でも容易に精度の高い位置合わせが可能となる。
【００２３】  表皮材１・第１剥離紙２・第２剥離紙３・枠体４を接着積層した上記物品においては、上述したように表皮材１と枠体４とは所定の位置関係になるように位置決めされている。そして上記の作業においては、タブレットデバイス５は枠体４に嵌め込まれることで、枠体４に対して所定の位置関係になるように位置決めされ、表皮材１と接着されることになる。したがって、表皮材１は、設計したとおりの位置関係でタブレットデバイス５の背面に接着される。このことが本発明の核心的な作用効果である。
【００２４】  つぎに全体を持ち上げて、表皮材１をタブレットデバイス５に押しつけることで、タブレットデバイス５の背面に表皮材１をしっかりと接着する。そして、表皮材１の接着面から枠体４を剥がし取る。このとき、第１剥離紙２のついた部分は枠体４と接着していないため、その部分から徐々に引っ張って表皮材１を容易に剥がし取ることができる。その後、第１剥離紙２を表皮材接着面から剥がす。
【００２５】  図４を参照しつつ先に説明したとおり、表皮材１の外形形状は、当該表皮材１でタブレットデバイス５の背面を全体的に覆うとともに、当該表皮材１の周辺部分をタブレットデバイス５の背面から側面にまわりこませて所定位置まで覆う形状に裁断されている。この表皮材１に対して正しく位置決めされてタブレットデバイス５の背面が接着されているので、上記の作業によって枠体４および第１剥離紙２を取り去ると、タブレットデバイス５の背面に接着された表皮材１の周辺部分がタブレットデバイス５の背面から均等に張り出している態様となる。
【００２６】  つぎの作業では、表皮材１の周辺部分をタブレットデバイス５の側面側にまわりこませるように手指または平面な板で丁寧に押さえつけて、表皮材１の周辺部分をタブレットデバイス５にしっかりと接着させる。表皮材１の中央の大部分は上述した仕組みによりタブレットデバイス５に対して正しく位置決めされて接着されているので、周辺部分をタブレットデバイス５の側面側にまわりこませるように接着させると、表皮材１の要所に形成されている小さな窓穴６やくぼみ７は、タブレットデバイス５の前述したユーザーインタフェース要素の位置に整合する。
【００２７】＝＝＝実施形態に関する他の技術事項＝＝＝
なお、タブレットデバイスの角部の形状や、表皮材１の材質や厚みによっては、タブレットデバイスの角部を表皮材１によりシワ無しで美しく被覆するには、たとえば図６に示すように、表皮材１の角部に小さな切れ目８を形成しておく方が良い場合がある。
【００２８】  なお図３においては、タブレットデバイス５の外周と枠体４の内周とがすべてにわたって隙間なく密接するように描かれているが、このことは本発明の必須の要件ではない。枠体４は、表皮材１に対して正規の位置にタブレットデバイス５を位置決めするためのものである。正しく位置決めできるのであれば、タブレットデバイス５の外周と枠体４の内周との間に部分的に隙間を生じる形態であってもかまわない。また、枠体の外周は表皮材より大きければよく、例えば上部をふくらませてディスプレイ用ハンガーにかけるための穴９を明けることもできる。
【００２９】  表皮材１には、天然皮革、人工皮革、フェルト、織物、不織布、和紙、合成樹脂製の装飾シート材などさまざまな柔軟な材質が利用できる。また、装飾性を高めるために、複数のシートを組み合わせて両面接着シートに貼り付ける形で一体の表皮材１としたり、表皮材１に一部穴を明けてタブレットデバイス５の素材を表面にだしたりもできる。
【図１】
2017191583.tif 000003
【図２】
2017191583.tif 000004
【図３】
2017191583.tif 000005
【図４】
2017191583.tif 000006
【図５】
2017191583.tif 000007
【図６】
2017191583.tif 000008